(57)【要約】    【課題】  大口径比でありながら、全系が小型、薄型であり、全ズーム範囲に渡り高い光学性能が容易に得られるズームレンズを得ること。    【解決手段】  物体側より像側へ順に配置された、正の屈折力の第１レンズ群、負の屈折力の第２レンズ群、正の屈折力の第３レンズ群、正の屈折力の第４レンズ群、１つ以上のレンズ群を含む後群より構成され、ズーミングに際して隣り合うレンズ群の間隔が変化するズームレンズであって、第１レンズ群は、物体側から像側へ順に配置された、負レンズ、正レンズからなり、第１レンズ群の焦点距離ｆ１、第２レンズ群の焦点距離ｆ２、第３レンズ群の焦点距離ｆ３、第１レンズ群を構成する負レンズと正レンズの各材料のｄ線における屈折率の平均値Ｎｄ１ａｖｅを各々適切に設定すること。【選択図】    図１
2019008012.tif 000002
【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群、１つ以上のレンズ群を含む後群より構成され、ズーミングに際して隣り合うレンズ群の間隔が変化するズームレンズであって、
前記第１レンズ群は、物体側から像側へ順に配置された、負レンズ、正レンズからなり、前記第１レンズ群の焦点距離をｆ１、前記第２レンズ群の焦点距離をｆ２、前記第３レンズ群の焦点距離をｆ３、前記第１レンズ群を構成する負レンズと正レンズの各材料のｄ線における屈折率の平均値をＮｄ１ａｖｅとするとき、
−７．５＜ｆ１／ｆ２＜−４．８
−４．０＜ｆ３／ｆ２＜−１．８
１．８６＜Ｎｄ１ａｖｅ＜２．１０
なる条件を満足することを特徴とするズームレンズ。
【請求項２】
前記第４レンズ群の焦点距離をｆ４とするとき、
０．２０＜ｆ３／ｆ４＜１．００
なる条件式を満足することを特徴とする請求項１に記載のズームレンズ。
【請求項３】
前記第３レンズ群は１枚以上の正レンズを含み、前記第３レンズ群に含まれる正レンズの材料のｄ線における屈折率の平均値をＮｄ３ｐａｖｅとするとき、
１．７０＜Ｎｄ３ｐａｖｅ＜１．９０
なる条件式を満足することを特徴とする請求項１または２に記載のズームレンズ。
【請求項４】
広角端における前記第２レンズ群の最も像側のレンズ面から前記第３レンズ群の最も物体側のレンズ面までの光軸上の距離をＤ２３ｗ、広角端から望遠端へのズーミングにおける前記第３レンズ群の移動量をＭ３とするとき、
０．６０＜Ｄ２３ｗ／Ｍ３＜１．４０
なる条件式を満足することを特徴とする請求項１乃至３のいずれか１項に記載のズームレンズ。
【請求項５】
前記第４レンズ群の最も物体側のレンズ面から最も像側のレンズ面までの光軸上の距離をＤ４とするとき、
０．０１＜Ｄ４／ｆ４＜０．２０
なる条件式を満足することを特徴とする請求項１乃至４のいずれか１項に記載のズームレンズ。
【請求項６】
前記第１レンズ群の最も像側のレンズ面の近軸曲率半径をｒＧ１２ｒ、前記第２レンズ群の最も物体側のレンズ面の近軸曲率半径をｒＧ２１ｆとするとき、
０．０＜（ｒＧ１２ｒ＋ｒＧ２１ｆ）／（ｒＧ１２ｒ−ｒＧ２１ｆ）＜２．５
なる条件式を満足することを特徴とする請求項１乃至５のいずれか１項に記載のズームレンズ。
【請求項７】
前記第２レンズ群は、最も物体側に配置された負レンズＧ２１、該負レンズＧ２１の像側に隣接して配置された負レンズＧ２２を有し、前記負レンズＧ２１の焦点距離をｆ２１、前記負レンズＧ２２の焦点距離をｆ２２とするとき、
０．４０＜ｆ２１／ｆ２２＜１．００
なる条件式を満足することを特徴とする請求項１乃至６のいずれか１項に記載のズームレンズ。
【請求項８】
広角端におけるＦナンバーをＦｎｏｗとするとき、
Ｆｎｏｗ＜２．００
なる条件式を満足することを特徴とする請求項１乃至７のいずれか１項に記載のズームレンズ。
【請求項９】
前記後群は、正の屈折力の第５レンズ群より構成されることを特徴とする請求項１乃至８のいずれか１項に記載のズームレンズ。
【請求項１０】
前記後群は、物体側から像側へ順に配置された、正の屈折力の第５レンズ群、負の屈折力の第６レンズ群からなることを特徴とする請求項１乃至８のいずれか１項に記載のズームレンズ。
【請求項１１】
前記後群は、物体側から像側へ順に配置された、正の屈折力の第５レンズ群、正の屈折力の第６レンズ群からなることを特徴とする請求項１乃至８のいずれか１項に記載のズームレンズ。
【請求項１２】
請求項１乃至１１のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置に好適なものである。
【背景技術】
【０００２】
近年、撮像素子を用いた撮像装置は高機能化され、又装置全体が小型化されている。そしてそれに用いる撮像光学系としてはレンズ全長が短く、コンパクト（小型）で、全ズーム範囲にわたり高い光学性能を有するズームレンズであること等が要求されている。これらの要求に応えるズームレンズとして最も物体側に正の屈折力のレンズ群を配置したポジティブリード型のズームレンズが知られている。
【０００３】
従来、物体側より像側へ順に、正の屈折力の第１レンズ群、負の屈折力の第２レンズ群、正の屈折力の第３レンズ群、正の屈折力の第４レンズ群、それに続く１つ以上のレンズ群を含む後群より構成されるズームレンズが知られている（特許文献１乃至３）。特許文献１では後群を物体側から像側に順に配置した負の屈折力の第５レンズ群、正の屈折力の第６レンズ群より構成している。特許文献２では後群を負の屈折力の第５レンズ群より構成している。特許文献３では後群を正の屈折力の第５レンズ群より構成している。  
【先行技術文献】
【特許文献】
【０００４】
【特許文献１】特開２０１５−１４５９１４号公報
【特許文献２】特開２０１６−０４８３５４号公報
【特許文献３】特開２０１５−０９９２１３号公報
【発明の概要】
【発明が解決しようとする課題】
【０００５】
多くの撮像装置では非撮影時に撮像装置を薄型化するために、レンズ鏡筒を数段に分けて、ズームレンズを構成する各レンズ群を光軸方向に畳んで収納する、所謂沈胴方式が用いられている。この沈胴方式においては、各レンズ群の厚さが沈胴時の撮像装置の厚さに大きな影響を与えることとなる。特に大口径化されたズームレンズでは、レンズ有効径が大きく、各レンズ群が厚くなりやすい。
【０００６】
このため、撮像装置の薄型化が困難となる。撮像装置の薄型化を効果的に行うためには、ズームレンズを構成するレンズのレンズ枚数を削減すればよい。また、ズームレンズのレンズ全長およびレンズ有効径を小型化するためには、ズームレンズを構成する各レンズ群の屈折力を強くすれば良い。
【０００７】
しかしながら、レンズ枚数を削減しつつ、各レンズ群の屈折力を強めると、諸収差が大きく発生し、全ズーム範囲にわたり高い光学性能を維持することが困難となる。特に望遠端においては、軸上色収差、倍率色収差等の色収差が多く発生しやすくなる。この色収差は、ポジティブリードのズームレンズにおいては多くの場合、正の屈折力の第１レンズ群より発生してくる。
【０００８】
このためポジティブリード型のズームレンズにおいて、軸上色収差、倍率色収差を良好に補正するためには、第１レンズ群の正の屈折力を弱くする必要がある。しかしながら、第１レンズ群の正の屈折力を弱くしすぎると、望遠端の長焦点距離化において、ズーミングに際して第１レンズ群の移動量が大きくなり、レンズ全長およびレンズ有効径が大型化してくる。そのため、収差補正を良好に行いつつ、ズームレンズの小型化を実現するためには、第１レンズ群のレンズ構成、使用する材料および各レンズ群の屈折力等を適正に設定する必要がある。
【０００９】
特に全体の小型化及びレンズ鏡筒沈胴時の薄型化を図りつつ、全ズーム範囲で高い光学性能を得るためには、ズームタイプ、各レンズ群の屈折力、各レンズ群内のレンズ構成、ズーミングに際しての各レンズ群の移動軌跡などを適切に設定する必要がある。
【００１０】
本発明は、大口径比でありながら、全系が小型、薄型であり、全ズーム範囲にわたり高い光学性能が容易に得られるズームレンズ及びそれを有する撮像装置の提供を目的とする。
【課題を解決するための手段】
【００１１】
本発明のズームレンズは、物体側より像側へ順に配置された、正の屈折力の第１レンズ群、負の屈折力の第２レンズ群、正の屈折力の第３レンズ群、正の屈折力の第４レンズ群、１つ以上のレンズ群を含む後群より構成され、ズーミングに際して隣り合うレンズ群の間隔が変化するズームレンズであって、
前記第１レンズ群は、物体側から像側へ順に配置された、負レンズ、正レンズからなり、前記第１レンズ群の焦点距離をｆ１、前記第２レンズ群の焦点距離をｆ２、前記第３レンズ群の焦点距離をｆ３、前記第１レンズ群を構成する負レンズと正レンズの各材料のｄ線における屈折率の平均値をＮｄ１ａｖｅとするとき、
−７．５＜ｆ１／ｆ２＜−４．８
−４．０＜ｆ３／ｆ２＜−１．８
１．８６＜Ｎｄ１ａｖｅ＜２．１０
なる条件を満足することを特徴としている。
【発明の効果】
【００１２】
本発明によれば、大口径比でありながら、全系が小型、薄型であり、全ズーム範囲にわたり高い光学性能が容易に得られるズームレンズが得られる。
【図面の簡単な説明】
【００１３】
【図１】本発明の実施例１の広角端におけるレンズ断面図
【図２】（Ａ）、（Ｂ）、（Ｃ）  本発明の実施例１の広角端、中間のズーム位置、望遠端における収差図
【図３】本発明の実施例２の広角端におけるレンズ断面図
【図４】（Ａ）、（Ｂ）、（Ｃ）  本発明の実施例２の広角端、中間のズーム位置、望遠端における収差図
【図５】本発明の実施例３の広角端におけるレンズ断面図
【図６】（Ａ）、（Ｂ）、（Ｃ）  本発明の実施例３の広角端、中間のズーム位置、望遠端における収差図
【図７】本発明の実施例４の広角端におけるレンズ断面図
【図８】（Ａ）、（Ｂ）、（Ｃ）  本発明の実施例４の広角端、中間のズーム位置、望遠端における収差図
【図９】本発明の実施例５の広角端におけるレンズ断面図
【図１０】（Ａ）、（Ｂ）、（Ｃ）  本発明の実施例５の広角端、中間のズーム位置、望遠端における収差図
【図１１】本発明の撮像装置の要部概略図
【発明を実施するための形態】
【００１４】
以下に本発明の好ましい実施の形態を添付の図面に基づいて説明する。本発明のズームレンズは、物体側より像側へ順に配置された、正の屈折力の第１レンズ群、負の屈折力の第２レンズ群、正の屈折力の第３レンズ群、正の屈折力の第４レンズ群、１つ以上のレンズ群を含む後群より構成される。そしてズーミングに際して隣り合うレンズ群の間隔が変化する。
【００１５】
図１は本発明の実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比３．３２、Ｆナンバー１．６５〜２．４７のズームレンズである。
【００１６】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３．３２、Ｆナンバー１．６５〜２．４７のズームレンズである。
【００１７】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例１はズーム比３．８６、Ｆナンバー１．６５〜２．６８のズームレンズである。
【００１８】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３．３２、Ｆナンバー１．６５〜２．５０のズームレンズである。
【００１９】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比３．３２、Ｆナンバー１．６５〜２．６０のズームレンズである。
【００２０】
図１１は本発明の撮像装置の要部概略図である。
【００２１】
各実施例のズームレンズはビデオカメラ、デジタルカメラ、ＴＶカメラ、監視用カメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは１つ以上のレンズ群を含む後群である。
【００２２】
実施例１、２のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群、Ｌ６は負の屈折力の第６レンズ群である。後群ＬＲは第５レンズ群Ｌ５と第６レンズ群Ｌ６より構成されている。実施例１、２は６群ズームレンズである。
【００２３】
実施例３のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群、Ｌ６は正の屈折力の第６レンズ群である。後群ＬＲは第５レンズ群Ｌ５と第６レンズ群Ｌ６より構成されている。実施例３は６群ズームレンズである。
【００２４】
実施例４のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。後群ＬＲは第５レンズ群Ｌ５より構成されている。実施例４は５群ズームレンズである。
【００２５】
実施例５のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。後群ＬＲは第５レンズ群Ｌ５より構成されている。実施例５は５群ズームレンズである。
【００２６】
レンズ断面図において、ＳＰは開口絞りであり、第２レンズ群Ｌ２と第３レンズ群Ｌ３の間に配置している。レンズ断面図において、Ｇは光学フィルター、フェースプレート、水晶ローパスフィルター、赤外カットフィルター等に相当する光学素子である。ＩＰは像面であり、ビデオカメラやデジタルスチルカメラの撮像光学系として使用する際にはＣＣＤセンサやＣＭＯＳセンサ等の固体撮像素子（光電変換素子）が置かれる。
【００２７】
矢印は広角端から望遠端へのズーミングに際しての各レンズ群の移動軌跡を示している。フォーカスに関する矢印は無限遠から近距離へのフォーカシングに際してのレンズ群の移動方向を示している。
【００２８】
収差図のうち球面収差において、実線のｄはｄ線（波長５８７．６ｎｍ）、２点鎖線のｇはｇ線（波長４３５．８ｎｍ）、非点収差において点線のΔＭはｄ線のメリディオナル像面、実線のΔＳはｄ線のサジタル像面である。倍率色収差はｇ線によって表している。ωは半画角（撮影画角の半分の値）（度）、ＦｎｏはＦナンバーである。各実施例では、広角端から望遠端への変倍に際して矢印のように各レンズ群を移動させている。
【００２９】
具体的には、実施例１乃至３では広角端から望遠端への変倍に際して矢印のように第１レンズ群Ｌ１を物体側へ移動させている。第２レンズ群Ｌ２を像側に凸状の軌跡を描いて移動させている。第３レンズ群Ｌ３、第４レンズ群Ｌ４、第５レンズ群Ｌ５を物体側へ移動させている。第６レンズ群Ｌ６を物体側へ移動させている。
【００３０】
実施例１乃至３では、変倍の際に、広角端に比べて望遠端において第１レンズ群Ｌ１および第３レンズ群Ｌ３が共に物体側に位置する様に移動させている。これにより、広角端におけるレンズ全長を短くし、前玉有効径の小型化を図りつつ、高いズーム比を得ている。実施例１乃至３では、広角端から望遠端へのズーミングに際し、第２レンズ群Ｌ２を像側に凸状の軌跡を描いて移動させることにより、全ズーム範囲においてコマ収差や像面湾曲等の諸収差を良好に補正している。
【００３１】
実施例１乃至３では広角端から望遠端へのズーミングに際して、広角端に比べて望遠端において、第４レンズ群Ｌ４、第５レンズ群Ｌ５が物体側に位置するように移動する。このように移動させることにより、全ズーム範囲において、球面収差やコマ収差等の諸収差を良好に補正している。
【００３２】
実施例１乃至３では広角端から望遠端へのズーミングに際して、広角端に比べて望遠端において、第６レンズ群Ｌ６が物体側に位置するように移動する。実施例１乃至３では、第５レンズ群Ｌ５を移動させて変倍に伴う像面変動を補正すると共に、フォーカシングを行っている。無限遠から近距離へフォーカスは、点線の矢印に示す如く第５レンズ群Ｌ５を前方に繰り出すことで行っている。
【００３３】
実施例４、５では、広角端から望遠端への変倍に際して矢印のように第１レンズ群Ｌ１を物体側へ移動させている。第２レンズ群Ｌ２を像側に凸状の軌跡を描いて移動させている。第３レンズ群Ｌ３、第４レンズ群Ｌ４、第５レンズ群Ｌ５を物体側へ移動させている。実施例４、５では、変倍の際に、広角端に比べて望遠端において第１レンズ群Ｌ１および第３レンズ群Ｌ３が共に物体側に位置する様に移動させている。これにより、広角端におけるレンズ全長を短くし、前玉有効径の小型化を図りつつ、高いズーム比を得ている。
【００３４】
実施例４、５では、広角端から望遠端へのズーミングに際し、第２レンズ群Ｌ２を像側に凸状の軌跡を描いて移動させることにより、全ズーム範囲においてコマ収差や像面湾曲等の諸収差を良好に補正している。実施例４、５では、広角端から望遠端へのズーミングに際して、広角端に比べ望遠端において第４レンズ群Ｌ４が物体側に位置するように移動する。このように移動させることにより、全ズーム範囲において、球面収差やコマ収差等の諸収差を良好に補正している。
【００３５】
また実施例４、５では、広角端に比べて望遠端において第５レンズ群Ｌ５が物体側に位置するように移動する。このように移動させることにより、全ズーム範囲において、像面湾曲を良好に補正している。実施例４、５では、第４レンズ群Ｌ４を移動させて変倍に伴う像面変動を補正すると共に、フォーカシングを行っている。無限遠から近距離へフォーカスは、点線の矢印に示す如く第４レンズ群Ｌ４を前方に繰り出すことで行っている。
【００３６】
尚、各実施例においてフォーカシングは第４レンズ群Ｌ４や第５レンズ群Ｌ５に限らず、その他のレンズ群を単独、もしくは複数のレンズ群を移動させても良い。
【００３７】
各実施例において、第１レンズ群Ｌ１は物体側から像側へ順に配置された、負レンズ、正レンズからなる。第１レンズ群Ｌ１の焦点距離をｆ１、第２レンズ群Ｌ２の焦点距離をｆ２、第３レンズ群Ｌ３の焦点距離をｆ３とする。第１レンズ群Ｌ１を構成する負レンズと正レンズの各材料のｄ線における屈折率の平均値をＮｄ１ａｖｅとする。このとき、
−７．５＜ｆ１／ｆ２＜−４．８    ・・・（１）
−４．０＜ｆ３／ｆ２＜−１．８    ・・・（２）
１．８６＜Ｎｄ１ａｖｅ＜２．１０  ・・・（３）
なる条件を満足する。
【００３８】
次に前述の各条件式の技術的意味について説明する。条件式（１）は第１レンズ群Ｌ１および第２レンズ群Ｌ２の小型化及び薄型化を図るために第１レンズ群Ｌ１の焦点距離と、第２レンズ群Ｌ２の焦点距離の比を適切に定めたものである。条件式（１）の上限を超えて第１レンズ群Ｌ１の焦点距離が短くなると、第１レンズ群Ｌ１に含まれる正レンズのコバ厚を十分に確保するため、正レンズの厚さを増加させる必要があり、この結果、第１レンズ群Ｌ１の薄型化が困難となる。また、望遠端における軸上色収差や倍率色収差の補正が困難となる。
【００３９】
もしくは、条件式（１）の上限を超えて第２レンズ群Ｌ２の負の焦点距離が長くなると（負の焦点距離の絶対値が大きくなると）、広角端におけるレンズ全長を短くすることが困難となる。この結果、第１レンズ群Ｌ１と第２レンズ群Ｌ２のレンズ径を小型化することが困難となる。
【００４０】
条件式（１）の下限を超えて第１レンズ群Ｌ１の焦点距離が長くなると、望遠端におけるレンズ全長を短くすることが困難となり、また第１レンズ群Ｌ１のレンズ有効径を小型化することが困難となる。もしくは、条件式（１）の下限を超えて第２レンズ群Ｌ２の負の焦点距離が短くなると（負の焦点距離の絶対値が小さくなると）、第２レンズ群Ｌ２の薄型化が困難となる。また、広角端においてコマ収差、像面湾曲および歪曲収差等の諸収差の補正が困難となる。
【００４１】
条件式（２）は第３レンズ群Ｌ３の薄型化および広角端及び望遠端におけるレンズ全長の短縮化を図るために、第３レンズ群Ｌ３の焦点距離と、第２レンズ群Ｌ２の焦点距離の比を適切に定めたものである。条件式（２）の上限を超えて第３レンズ群Ｌ３の焦点距離が短くなると、第３レンズ群Ｌ３に含まれる正レンズのコバ厚を十分に確保するため、正レンズの厚さを増加させる必要があり、この結果、第３レンズ群Ｌ３の薄型化が困難となる。また、全ズーム範囲における球面収差やコマ収差の補正が困難となる。
【００４２】
条件式（２）の下限を超えて第３レンズ群Ｌ３の焦点距離が長くなると、広角端におけるレンズ全長を短くすることが困難となる。また、広角端から望遠端へのズーミングに際して第３レンズ群Ｌ３の移動量が大きくなりすぎるため、望遠端におけるレンズ全長を短くすることが困難となる。
【００４３】
条件式（３）は第１レンズ群Ｌ１の小型化、薄型化を図るために、第１レンズ群Ｌ１に使用する各レンズの材料のｄ線における屈折率の平均値を適切に定めたものである。条件式（３）の上限を超えて、第１レンズ群Ｌ１に使用する各レンズの材料のｄ線における屈折率の平均値が大きくなると、現存する光学材料ではｄ線におけるアッベ数が小さくなりすぎる。このため、全ズーム範囲において軸上色収差や倍率色収差を補正することが困難となる。
【００４４】
条件式（３）の下限を超えて、第１レンズ群Ｌ１に使用する各レンズの材料のｄ線における屈折率の平均値が小さくなると、第１レンズ群Ｌ１に含まれる正レンズのコバ厚を十分に確保するため、正レンズの厚さを増加させる必要がある。この結果、第１レンズ群Ｌ１の薄型化が困難となる。
【００４５】
尚、更に好ましくは条件式（１）、（２）、（３）の数値範囲を次の如く設定するのが良い。
【００４６】
−７．０＜ｆ１／ｆ２＜−４．９        ・・・（１ａ）
−３．５＜ｆ３／ｆ２＜−１．９        ・・・（２ａ）
１．８８＜Ｎｄ１ａｖｅ＜１．９８      ・・・（３ａ）
【００４７】
更に好ましくは条件式（１ａ）、（２ａ）、（３ａ）の数値範囲を次の如く設定するのが良い。
【００４８】
−６．５＜ｆ１／ｆ２＜−５．０        ・・・（１ｂ）
−３．０＜ｆ３／ｆ２＜−２．０        ・・・（２ｂ）
１．８９＜Ｎｄ１ａｖｅ＜１．９６      ・・・（３ｂ）
【００４９】
以上の如く構成することにより、大口径比で全系の小型化、薄型化を達成しつつ、諸収差を良好に補正し、全ズーム範囲に渡り高い光学性能が得られるズームレンズを実現している。
【００５０】
各実施例において更に好ましくは次の条件式のうち１つ以上を満足することがより好ましい。第４レンズ群Ｌ４の焦点距離をｆ４とする。第３レンズ群Ｌ３は１枚以上の正レンズを含み、第３レンズ群Ｌ３に含まれる正レンズの材料のｄ線における屈折率の平均値をＮｄ３ｐａｖｅとする。広角端における第２レンズ群Ｌ２の最も像側のレンズ面から第３レンズ群Ｌ３の最も物体側のレンズ面までの光軸上の距離をＤ２３ｗ、広角端から望遠端へのズーミングにおける第３レンズ群Ｌ３の移動量をＭ３とする。
【００５１】
ここでレンズ群の移動量とは広角端と望遠端におけるレンズ群の光軸上の位置の差であり、移動量の符号は広角端に比べて望遠端において物体側に位置するときを正、像側に位置するときを負とする。第４レンズ群Ｌ４の最も物体側のレンズ面から最も像側のレンズ面までの光軸上の距離をＤ４とする。第１レンズ群Ｌ１の最も像側のレンズ面の近軸曲率半径をｒＧ１２ｒ、第２レンズ群Ｌ２の最も物体側のレンズ面の近軸曲率半径をｒＧ２１ｆとする。
【００５２】
第２レンズ群Ｌ２は、最も物体側に配置された負レンズＧ２１、負レンズＧ２１の像側に隣接して配置された負レンズＧ２２を有し、負レンズＧ２１の焦点距離をｆ２１、負レンズＧ２２の焦点距離をｆ２２とする。広角端におけるＦナンバーをＦｎｏｗとする。このとき、以下の条件式のうち１つ以上を満足することが好ましい。
【００５３】
０．２０＜ｆ３／ｆ４＜１．００        ・・・（４）
１．７０＜Ｎｄ３ｐａｖｅ＜１．９０    ・・・（５）
０．６０＜Ｄ２３ｗ／Ｍ３＜１．４０    ・・・（６）
０．０１＜Ｄ４／ｆ４＜０．２０        ・・・（７）
０．０＜（ｒＧ１２ｒ＋ｒＧ２１ｆ）／（ｒＧ１２ｒ−ｒＧ２１ｆ）＜２．５
・・・（８）
０．４０＜ｆ２１／ｆ２２＜１．００    ・・・（９）
Ｆｎｏｗ＜２．００                    ・・・（１０）
【００５４】
次に前述の各条件式の技術的意味について説明する。条件式（４）は第３レンズ群Ｌ３の小型化、薄型化を図りつつ、広角端と望遠端におけるレンズ全長の短縮化を図るために、第３レンズ群Ｌ３の焦点距離と第４レンズ群Ｌ４の焦点距離の比を適切に定めたものである。条件式（４）の上限を超えて、第３レンズ群Ｌ３の焦点距離が長くなると、広角端におけるレンズ全長を短くすることが困難となる。また、広角端から望遠端へのズーミングに際しての第３レンズ群Ｌ３の移動量が大きくなりすぎるため、望遠端におけるレンズ全長を短くすることが困難となる。
【００５５】
条件式（４）の下限を超えて、第３レンズ群Ｌ３の焦点距離が短くなると、第３レンズ群Ｌ３に含まれる正レンズのコバ厚を十分に確保するため、正レンズの厚さを増加させる必要があり、第３レンズ群Ｌ３の薄型化が困難となる。また、全ズーム範囲における球面収差やコマ収差の補正が困難となる。もしくは、条件式（４）の下限を超えて、第４レンズ群Ｌ４の焦点距離が長くなると、第３レンズ群Ｌ３のレンズ有効径の小型化および薄型化が困難となる。
【００５６】
条件式（５）は第３レンズ群Ｌ３の薄型化および全ズーム範囲において像面湾曲を良好に補正するために、第３レンズ群Ｌ３に含まれるレンズの材料のｄ線における屈折率のうち正レンズの屈折率の平均値を適切に定めたものである。条件式（５）の上限を超えて第３レンズ群Ｌ３に含まれる正レンズの材料のｄ線における屈折率の平均値が大きくなると、現存する材料ではｄ線におけるアッベ数が小さくなりすぎるため、全ズーム範囲における軸上色収差を補正することが困難となる。
【００５７】
条件式（５）の下限を超えて第３レンズ群Ｌ３に含まれる正レンズの材料のｄ線における屈折率の平均値が小さくなると、全ズーム範囲における像面湾曲を良好に補正することが困難となる。また、第３レンズ群Ｌ３に含まれる正レンズのコバ厚を十分に確保するため、正レンズの厚さを増加させる必要があり、第３レンズ群Ｌ３の薄型化が困難となる。
【００５８】
条件式（６）は広角端および望遠端のレンズ全長の短縮を図るためのものである。条件式（６）は第２レンズ群Ｌ２の最も像側のレンズ面から第３レンズ群Ｌ３の最も物体側のレンズ面までの光軸上の距離と広角端から望遠端へのズーミングにおける第３レンズ群Ｌ３の移動量を適切に定めたものである。
【００５９】
条件式（６）の上限を超えて広角端における第２レンズ群Ｌ２の最も像側のレンズ面から第３レンズ群Ｌ３の最も物体側のレンズ面までの光軸上の距離が長くなると、広角端におけるレンズ全長を短くすることが困難となる。条件式（６）の下限を超えて、広角端から望遠端へズーミングにおける第３レンズ群Ｌ３の移動量が大きくなると、望遠端におけるレンズ全長を短くすることが困難となる。
【００６０】
条件式（７）は鏡筒沈同時の薄型化を図るために、第４レンズ群Ｌ４の厚さ（レンズ群の厚さ）と第４レンズ群Ｌ４の焦点距離の比を適切に定めたものである。条件式（７）の上限を超えて、第４レンズ群Ｌ４の焦点距離が短くなり、第４レンズ群Ｌ４の厚さが厚くなると、鏡筒沈同時の薄型化が困難となる。条件式（７）の下限を超えて、第４レンズ群Ｌ４の焦点距離が長くなると、第３レンズ群Ｌ３のレンズ有効径の小型化および薄型化が困難となり、結果として鏡筒沈同時の薄型化が困難となる。
【００６１】
条件式（８）は広角端における像面湾曲および歪曲収差を良好に補正するために、第１レンズ群Ｌ１の最も像側のレンズ面と第２レンズ群Ｌ２の最も物体側のレンズ面の近軸曲率半径を適切に定めたものである。条件式（８）の上限値を超えて、２つのレンズ面が持つ屈折力の絶対値が近くなると、広角端において歪曲収差の補正が困難となる。条件式（８）の下限値を超えて、第１レンズ群Ｌ１の最も像側のレンズ面が持つ屈折力の絶対値が第２レンズ群Ｌ２の最も物体側のレンズ面が持つ屈折力の絶対値より大きくなると、広角端において像面湾曲の補正が困難となる。
【００６２】
条件式（９）は広角側においてコマ収差、像面湾曲および歪曲収差を良好に補正するために、第２レンズ群Ｌ２に含まれる負レンズＧ２１の焦点距離と負レンズＧ２１の像側に隣接して配置された負レンズＧ２２の焦点距離を適切に定めたものである。条件式（９）の上限値を超えて、負レンズＧ２１の焦点距離が長くなると、広角側においてコマ収差や像面湾曲の補正が困難となる。条件式（９）の下限値を超えて、負レンズＧ２１の焦点距離が短くなると、広角側の歪曲収差の補正が困難となる。
【００６３】
条件式（１０）は広角端におけるＦナンバーを適切に定めたものである。条件式（１０）の上限値を超えないように明るい光学系とすることで、撮影の表現の幅を広げている。なお、各実施例において、好ましくは、条件式（４）乃至（１０）の数値範囲を次の如くするのが良い。
【００６４】
０．３５＜ｆ３／ｆ４＜０．９７                  ・・・（４ａ）
１．７１＜Ｎｄ３ｐａｖｅ＜１．８５              ・・・（５ａ）
０．７０＜Ｄ２３ｗ／Ｍ３＜１．３０              ・・・（６ａ）
０．０３＜Ｄ４／ｆ４＜０．１７                  ・・・（７ａ）
０．４＜（ｒＧ１２ｒ＋ｒＧ２１ｆ）／（ｒＧ１２ｒ−ｒＧ２１ｆ）＜２．３
・・・（８ａ）
０．５０＜ｆ２１／ｆ２２＜  ０．９０            ・・・（９ａ）
Ｆｎｏｗ＜１．８５                              ・・・（１０ａ）
【００６５】
また、さらに好ましくは条件式（４ａ）〜条件式（１０ａ）の数値範囲を次の如く設定すると、先に述べた各条件式が意味する効果を最大限に得られる。
【００６６】
０．５０＜ｆ３／ｆ４＜０．９３                  ・・・（４ｂ）
１．７２＜Ｎｄ３ｐａｖｅ＜１．８０              ・・・（５ｂ）
０．７５＜Ｄ２３ｗ／Ｍ３＜１．２０              ・・・（６ｂ）
０．０４＜Ｄ４／ｆ４  ＜０．１３                ・・・（７ｂ）
０．８＜（ｒＧ１２ｒ＋ｒＧ２１ｆ）／（ｒＧ１２ｒ−ｒＧ２１ｆ）＜２．１
・・・（８ｂ）
０．５５＜ｆ２１／ｆ２２＜０．８５              ・・・（９ｂ）
Ｆｎｏｗ＜１．７０                              ・・・（１０ｂ）
【００６７】
各実施例では以上のように各要素を構成することにより、大口径比で全系の小型化、薄型化を達成しつつ、諸収差を良好に補正し、全ズーム範囲に渡り高い光学性能を有するズームレンズを得ている。
【００６８】
各実施例において、正の屈折力の第３レンズ群Ｌ３を光軸に対し垂直方向の成分を含むように移動させて、像ぶれの補正を行っても良い。これによればズームレンズ全体が振動（傾動）したときの撮影画像のぶれを良好に補正することができる（防振を行うことができる）。
【００６９】
なお、各実施例では第３レンズ群Ｌ３を光軸に対して垂直方向の成分を含むように移動させて像ぶれ補正を行っているが、移動方式は第３レンズ群Ｌ３を光軸に対して垂直方向の成分を含むように移動させれば、像のぶれを補正することができる。例えば鏡筒構造の複雑化を許容すれば、光軸上に回転中心を持つように第３レンズ群Ｌ３を回動させて像ぶれ補正を行っても良い。
【００７０】
また、像ぶれ補正を第３レンズ群Ｌ３の一部のレンズで行ってもよい。また、第３レンズ群Ｌ３以外のレンズ群もしくはその１部でのレンズで行ってもよい。さらには複数のレンズ群、もしくはレンズ群の１部を同時に動かすことで像ぶれ補正を行ってもよい。
【００７１】
各実施例において、ズームレンズの小型化を達成しつつ、全ズーム範囲に渡り高い光学性能を得るためには、各レンズ群を次の如く構成するのが良い。
【００７２】
第１レンズ群Ｌ１は、物体側より像側へ順に配置された、負レンズＧ１１、正レンズＧ１２の２枚のレンズから構成されることが好ましい。第１レンズ群Ｌ１をこのように構成することにより、第１レンズ群Ｌ１の薄型化を達成しつつ、望遠端における軸上色収差や倍率色収差を良好に補正することが容易になる。
【００７３】
第２レンズ群Ｌ２は、物体側より像側へ順に配置された、負レンズＧ２１、負レンズＧ２２、正レンズＧ２３、負レンズＧ２４の４枚のレンズから構成されることが好ましい。第２レンズ群Ｌ２をこのように構成することにより、広角端および広角端付近におけるズーム範囲において、コマ収差、像面湾曲および倍率色収差等を良好に補正することが容易になる。
【００７４】
第３レンズ群Ｌ３は、物体側より像側へ順に配置された、正レンズＧ３１、正レンズＧ３２と負レンズＧ３３を接合した接合レンズの３枚のレンズから構成されることが好ましい。第３レンズ群Ｌ３をこのように構成することにより、全ズーム範囲において球面収差やコマ収差を良好に補正することが容易になる。第４レンズ群Ｌ４は正レンズＧ４１の１枚のレンズで構成されることが好ましい。第４レンズ群Ｌ４をこのように構成することにより、薄型化を達成しつつ、全ズーム範囲において球面収差やコマ収差を良好に補正することが容易となる。
【００７５】
実施例１乃至３において、第５レンズ群Ｌ５は正レンズＧ５１で構成されることが好ましい。第５レンズ群Ｌ５をこのように構成することにより、薄型化を達成しつつ、被写体距離が変動した際の諸収差の変動を小さく抑えることが容易になる。実施例４、５において、第５レンズ群Ｌ５は、負レンズＧ５１、正レンズＧ５２の２枚のレンズから構成されることが好ましい。第５レンズ群Ｌ５をこのように構成することにより、全ズーム範囲において像面湾曲を良好に補正することが容易になる。
【００７６】
実施例１乃至３において、第６レンズ群Ｌ６は、負レンズＧ６１、正レンズＧ６２の２枚のレンズから構成されることが好ましい。第６レンズ群Ｌ６をこのように構成することにより、全ズーム範囲において像面湾曲を良好に補正することが容易になる。
【００７７】
各実施例によれば、以上の如く構成することにより、大口径比でありながら、全系が小型で、沈胴した際にカメラが薄型化し、全ズーム範囲にわたり高い光学性能を有したズームレンズを容易に得ることができる。
【００７８】
各実施例においては、歪曲収差をある程度許容した電子収差補正を前提の構成としても良く、これによれば前玉有効径を小さくすることができて、全系の小型化を図ることが容易となる。
【００７９】
次に本発明のズームレンズを撮像光学系として用いたデジタルカメラ（撮像装置）の実施形態を説明する。図１１において、２０はデジタルカメラ本体、２１は上述の実施例のズームレンズによって構成された撮像光学系である。２２は撮像光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【００８０】
上記表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【００８１】
次に、実施例１乃至５に対応する数値データ１乃至５を示す。数値データにおいて、ｉは物体側から数えた面の順序を示し、ｒｉは第ｉ番目のレンズ面の曲率半径、ｄｉは第ｉ面と第ｉ＋１面との間のレンズ肉厚および空気間隔、ｎｉ、νｄｉはそれぞれｄ線に対する第ｉ番目の屈折率、アッベ数を示す。
【００８２】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表される。但しＲは近軸曲率半径である。数値データにおいて最後の２つの面は、フィルター、フェースプレート等の光学ブロックの面である。
【００８３】
各実施例において、バックフォーカス（ＢＦ）はレンズ最終面から近軸像面までの距離を空気換算長により表したものである。レンズ全長は最も物体側のレンズ面から最終レンズ面までの距離にバックフォーカスを加えたものである。また、各実施例における上述した条件式との対応を表１に示す。
【００８４】
数値データ１
単位 mm
面データ
面番号       r        d      nd         νd
1         39.372    0.90   1.98738    16.4           
2         25.087    4.05   1.88300    40.8           
3        489.577  (可変)                             
4         50.816    0.75   1.85135    40.1           
5*         9.801    4.05                             
6        -21.209    0.55   1.88300    40.8           
7         65.350    0.05                             
8         29.204    1.95   2.00272    19.3           
9        -30.432    0.70                             
10        -14.786    0.50   1.80400    46.6           
11       -170.404  (可変)                             
12(絞り)    ∞       0.25                             
13*        19.204    3.00   1.76802    49.2           
14*       -34.229    0.05                             
15         15.697    2.45   1.77250    49.6           
16       -802.587    0.50   1.85478    24.8           
17         11.886  (可変)                             
18         21.899    2.35   1.59282    68.6           
19        -63.849  (可変)                             
20         77.840    1.80   1.55332    71.7           
21*       -36.781  (可変)                             
22        -53.199    0.55   1.89286    20.4           
23         54.967    0.05                             
24*        14.199    1.60   1.76802    49.2           
25         21.261  (可変)                             
26          ∞       1.00   1.51633    64.1           
27          ∞       0.88                            
像面        ∞   
【００８５】
非球面データ
第5面
K = 0.00000e+000  A 4= 2.32688e-006  A 6= 9.59835e-008  A 8= 3.12157e-009  
第13面
K = 0.00000e+000  A 4=-2.90991e-005  A 6= 5.05408e-008  
第14面
K = 0.00000e+000  A 4= 3.07821e-005  A 6=-4.67600e-009  
第21面
K = 0.00000e+000  A 4= 3.04860e-005  A 6= 2.12116e-007  A 8=-3.73039e-010  
第24面
K = 0.00000e+000  A 4=-5.65313e-005  A 6= 7.35204e-008  A 8=-1.14484e-009  
各種データ
ズーム比     3.32 
広角     中間     望遠
焦点距離       9.06    16.51    30.07  
Fナンバー      1.65     2.30     2.47  
半画角（度）  35.55    25.54    14.70  
像高           6.47     7.89     7.89  
レンズ全長    62.56    66.50    75.79  
BF             6.66    10.97    13.37  
d 3            0.40     5.93    13.02  
d11           12.66     5.13     0.60  
d17           10.20     8.64     7.51  
d19            3.87     5.64     6.78  
d21            2.68     4.08     8.41  
d25            5.12     9.43    11.83  
ズームレンズ群データ
群  始面    焦点距離  
1    1      51.91  
2    4      -8.32  
3   12      19.08  
4   18      27.79  
5   20      45.40  
6   22     -69.81  
第２レンズ群内データ
レンズ  始面    焦点距離
G21       4      -14.38
G22       6      -18.08
【００８６】
数値データ２
単位 mm
面データ
面番号       r        d      nd         νd
1         30.548    0.90   1.95906    17.5           
2         20.972    4.70   1.88300    40.8           
3        151.994  (可変)                             
4         49.372    0.75   1.85135    40.1           
5*         8.655    4.00                             
6        -27.602    0.55   1.88300    40.8           
7         28.418    0.05                             
8         21.126    1.90   1.89286    20.4           
9        -49.015    1.10                             
10        -13.190    0.50   1.88300    40.8           
11        -26.015  (可変)                             
12(絞り)    ∞       0.25                             
13*        15.611    3.35   1.85135    40.1           
14*       -40.367    0.05                             
15         19.822    2.25   1.59282    68.6           
16       -130.985    0.45   1.85478    24.8           
17         11.816  (可変)                             
18         68.218    2.62   1.65160    58.5           
19        -19.995  (可変)                             
20*        34.953    2.00   1.49710    81.6           
21       -150.476  (可変)                             
22        -49.152    0.55   1.89286    20.4           
23         20.822    0.10                             
24*        15.136    3.10   1.85135    40.1           
25        265.261  (可変)                             
26          ∞       1.00   1.51633    64.1           
27          ∞       0.88                             
像面        ∞   
【００８７】
非球面データ
第5面
K = 0.00000e+000  A 4=-2.43836e-005  A 6= 2.50391e-007  A 8=-7.76861e-009  
第13面
K = 0.00000e+000  A 4=-3.99881e-005  A 6= 2.05742e-007  A 8=-2.32036e-009  
第14面
K = 0.00000e+000  A 4= 5.75784e-005  A 6= 3.95647e-008  A 8=-1.91424e-009  
第20面
K = 0.00000e+000  A 4= 1.17038e-006  A 6=-1.22147e-008  A 8= 1.04647e-010  
第24面
K = 0.00000e+000  A 4=-5.49448e-005  A 6= 1.69766e-007  A 8=-1.57534e-009  
各種データ
ズーム比     3.32 
広角     中間     望遠
焦点距離       9.06    16.51    30.07  
Fナンバー      1.65     2.30     2.47  
半画角（度）  36.48    25.54    14.70  
像高           6.70     7.89     7.89  
レンズ全長    63.80    66.03    79.50  
BF             5.57     4.57     6.07  
d 3            0.40     2.24    11.68  
d11           12.43     3.99     0.60  
d17            6.56     5.79     6.97  
d19            5.37     7.95    10.01  
d21            4.31    12.33    15.00  
d25            4.03     3.03     4.53  
ズームレンズ群データ
群  始面    焦点距離  
1    1      44.45  
2    4      -7.69  
3   12      21.77  
4   18      24.01  
5   20      57.26  
6   22    -130.62  
第２レンズ群内データ
レンズ  始面    焦点距離
G21       4      -12.43
G22       6      -15.78
【００８８】
数値データ３
単位 mm
面データ
面番号       r        d      nd         νd
1         31.192    0.70   1.98738    16.4           
2         22.438    4.40   1.80139    45.5           
3*       357.283  (可変)                             
4         45.306    0.60   1.85135    40.1           
5*         8.785    4.45                             
6        -19.311    0.45   1.83481    42.7           
7         63.061    0.05                             
8         27.583    1.90   2.00272    19.3           
9        -32.364    0.85                             
10        -13.705    0.40   1.80400    46.6           
11        -55.531  (可変)                             
12(絞り)    ∞       0.25                             
13*        17.673    3.10   1.76802    49.2           
14*       -35.987    0.05                             
15         16.538    2.45   1.77250    49.6           
16       -267.485    0.50   1.85478    24.8           
17         11.747  (可変)                             
18         28.260    2.00   1.59282    68.6           
19        -62.418  (可変)                             
20        241.562    1.60   1.59201    67.0           
21*       -39.107  (可変)                             
22        -60.711    0.55   1.89286    20.4           
23         61.094    0.05                             
24*        15.973    2.20   1.76802    49.2           
25         42.476  (可変)                             
26          ∞       1.00   1.51633    64.1           
27          ∞       0.88                             
像面        ∞   
非球面データ
第3面
K = 0.00000e+000  A 4=-3.48410e-007  A 6= 4.26662e-009  A 8=-8.01526e-012  
第5面
K = 0.00000e+000  A 4=-1.27466e-005  A 6=-2.09736e-007  A 8=-2.72685e-009  
第13面
K = 0.00000e+000  A 4=-3.00819e-005  A 6=-1.35667e-007  A 8= 2.21571e-009  
第14面
K = 0.00000e+000  A 4= 3.77114e-005  A 6=-2.02472e-007  A 8= 2.36473e-009  
第21面
K = 0.00000e+000  A 4= 1.47990e-005  A 6= 1.90732e-007  A 8=-3.40402e-010  
第24面
K = 0.00000e+000  A 4=-5.12650e-005  A 6= 1.93088e-007  A 8=-9.34658e-010  
各種データ
ズーム比     3.86 
広角     中間     望遠
焦点距離       9.06    17.81    35.00  
Fナンバー      1.65     2.30     2.68  
半画角（度）  36.48    23.89    12.70  
像高           6.70     7.89     7.89  
レンズ全長    62.74    67.26    79.56  
BF             6.20    11.02    13.74  
d 3            0.40     6.43    13.85  
d11           12.80     5.07     0.60  
d17            7.86     5.41     5.54  
d19            4.63     6.68     7.06  
d21            4.30     6.11    12.22  
d25            4.66     9.48    12.20  
ズームレンズ群データ
群  始面    焦点距離  
1    1      46.80  
2    4      -8.02  
3   12      19.34  
4   18      33.09  
5   20      56.97  
6   22     820.88  
第２レンズ群内データ
レンズ  始面    焦点距離
G21       4      -12.90
G22       6      -17.67
【００８９】
数値データ４
単位 mm
面データ
面番号       r        d      nd         νd
1         34.586    0.60   1.98738    16.4           
2         22.263    4.50   1.88300    40.8           
3       1048.917  (可変)                             
4        257.222    0.75   1.85135    40.1           
5*         9.327    3.40                             
6        -28.884    0.55   1.88300    40.8           
7         36.103    0.05                             
8         24.302    2.00   2.00272    19.3           
9        -40.801    1.00                             
10        -13.871    0.50   1.80400    46.6           
11        -30.371  (可変)                             
12(絞り)    ∞       0.25                             
13*        19.946    3.20   1.76802    49.2           
14*       -32.766    0.05                             
15         13.536    2.60   1.77250    49.6           
16        297.495    0.50   1.85478    24.8           
17         10.727  (可変)                             
18*        38.566    2.40   1.61881    63.9           
19        -26.484  (可変)                             
20        -33.707    0.55   1.89286    20.4           
21        265.709    0.05                             
22*        19.151    2.20   1.76802    49.2           
23        135.431  (可変)                             
24          ∞       1.00   1.51633    64.1           
25          ∞       0.88                             
像面        ∞   
【００９０】
非球面データ
第5面
K = 0.00000e+000  A 4=-2.72355e-005  A 6= 1.29328e-007  A 8=-5.67933e-009  
第13面
K = 0.00000e+000  A 4=-2.46696e-005  A 6=-2.86050e-008  A 8=-6.37085e-011  
第14面
K = 0.00000e+000  A 4= 3.33428e-005  A 6=-9.06149e-008  
第18面
K = 0.00000e+000  A 4= 2.92096e-006  A 6=-8.27032e-008  A 8=-4.32319e-010  
第22面
K = 0.00000e+000  A 4=-5.68034e-005  A 6= 1.65907e-007  A 8=-1.06264e-009  
各種データ
ズーム比     3.32 
広角     中間     望遠
焦点距離       9.06    16.51    30.07  
Fナンバー      1.65     2.40     2.50  
半画角（度）  35.53    25.54    14.70  
像高           6.47     7.89     7.89  
レンズ全長    61.71    64.51    72.08  
BF             7.79    11.58    14.28  
d 3            0.40     5.66     9.96  
d11           14.01     5.90     0.60  
d17            9.83     9.06     8.24  
d19            4.53     7.17    13.86  
d23            6.25    10.04    12.74  
ズームレンズ群データ
群  始面    焦点距離  
1    1      43.26  
2    4      -8.64  
3   12      18.11  
4   18      25.74  
5   20     202.05  
第２レンズ群内データ
レンズ  始面    焦点距離
G21       4      -11.38
G22       6      -18.10
【００９１】
数値データ５
単位 mm
面データ
面番号       r        d      nd         νd
1         36.992    0.60   1.98738    16.4           
2         22.839    4.50   1.88300    40.8           
3       5291.757  (可変)                             
4        209.030    0.75   1.85135    40.1           
5*         9.635    3.30                             
6        -35.322    0.55   1.88300    40.8           
7         35.540    0.05                             
8         23.232    2.00   2.00272    19.3           
9        -41.740    0.95                             
10        -14.319    0.50   1.80400    46.6           
11        -48.328  (可変)                             
12(絞り)    ∞       0.25                             
13*        19.607    3.20   1.76802    49.2           
14*       -31.640    0.05                             
15         14.658    2.60   1.77250    49.6           
16       -443.648    0.50   1.85478    24.8           
17         11.538  (可変)                             
18*        32.410    2.70   1.59282    68.6           
19        -24.374  (可変)                             
20        -30.305    0.55   1.89286    20.4           
21       5638.925    0.05                             
22*        17.367    1.80   1.76802    49.2           
23         43.577  (可変)                             
24          ∞       1.00   1.51633    64.1           
25          ∞       0.88                             
像面        ∞   
【００９２】
非球面データ
第5面
K = 0.00000e+000  A 4=-2.01239e-005  A 6= 9.52824e-008  A 8=-4.74578e-009  
第13面
K = 0.00000e+000  A 4=-2.70955e-005  A 6=-8.12564e-008  A 8=-1.55018e-010  
第14面
K = 0.00000e+000  A 4= 3.53815e-005  A 6=-1.52994e-007  
第18面
K = 0.00000e+000  A 4=-5.60280e-006  A 6=-1.46959e-007  A 8=-1.62262e-010  
第22面
K = 0.00000e+000  A 4=-6.21286e-005  A 6= 1.86192e-007  A 8=-9.93888e-010  
各種データ
ズーム比     3.32 
広角     中間     望遠
焦点距離       9.05    16.51    30.07  
Fナンバー      1.65     2.40     2.60  
半画角（度）  35.55    25.54    14.70  
像高           6.47     7.89     7.89  
レンズ全長    61.29    64.08    70.44  
BF             7.00    10.82    13.71  
d 3            0.40     5.72     8.88  
d11           14.27     6.22     0.60  
d17            9.78     9.06     7.69  
d19            4.94     7.37    14.67  
d23            5.47     9.28    12.17  
ズームレンズ群データ
群  始面    焦点距離  
1    1      45.45  
2    4      -8.69  
3   12      17.86  
4   18      23.89  
5   20    -402.05  
第２レンズ群内データ
レンズ  始面    焦点距離
G21       4      -11.88
G22       6      -19.99
【００９３】
【表１】
2019008012.tif 000003
【符号の説明】
【００９４】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＳＰ  絞り
【図１】
2019008012.tif 000004
【図２】
2019008012.tif 000005
【図３】
2019008012.tif 000006
【図４】
2019008012.tif 000007
【図５】
2019008012.tif 000008
【図６】
2019008012.tif 000009
【図７】
2019008012.tif 000010
【図８】
2019008012.tif 000011
【図９】
2019008012.tif 000012
【図１０】
2019008012.tif 000013
【図１１】
2019008012.tif 000014